【手続補正書】
【提出日】令和3年7月6日(2021.7.6)
【手続補正１】
【補正対象書類名】明細書
【補正対象項目名】発明の名称
【補正方法】変更
【補正の内容】
【発明の名称】電子機器、学習支援装置、学習支援システム、電子機器の制御方法、及び電子機器の制御プログラム
【手続補正２】
【補正対象書類名】明細書
【補正対象項目名】０００１
【補正方法】変更
【補正の内容】
【０００１】
本発明は、電子機器、学習支援装置、学習支援システム、電子機器の制御方法、及び電子機器の制御プログラムに関する。
【手続補正３】
【補正対象書類名】明細書
【補正対象項目名】０００４
【補正方法】変更
【補正の内容】
【０００４】
本発明は、複数の学習支援装置を連携させることができる電子機器、学習支援装置、学習支援システム、電子機器の制御方法、及び電子機器の制御プログラムを得ることを目的とする。
【手続補正４】
【補正対象書類名】明細書
【補正対象項目名】０００５
【補正方法】変更
【補正の内容】
【０００５】
本発明の一態様によれば、他の機器と連携してユーザに第１機能を提供する電子機器は、前記第１機能に係る情報をユーザに向けた音声として出力する出力手段と、前記第１機能に係る前記他の機器の連携を制御する場合に、前記出力手段が出力する前記ユーザに向けた音声に対して前記他の機器に向けた指示情報を音声透かしとして埋め込む埋込処理を行う制御手段とを備える。
【手続補正５】
【補正対象書類名】特許請求の範囲
【補正対象項目名】全文
【補正方法】変更
【補正の内容】
【特許請求の範囲】
【請求項１】
他の機器と連携してユーザに第１機能を提供する電子機器であって、
前記第１機能に係る情報をユーザに向けた音声として出力する出力手段と、
前記第１機能に係る前記他の機器の連携を制御する場合に、前記出力手段が出力する前記ユーザに向けた音声に対して前記他の機器に向けた指示情報を音声透かしとして埋め込む埋込処理を行う制御手段と
を備える電子機器。
【請求項２】
前記制御手段は、前記第１機能に係る連携を行う前記他の機器が存在するか否かを判断し、前記第１機能に係る連携を行う前記他の機器が存在すると判断された場合には、前記埋込処理を行うことで前記他の機器と連携して前記第１機能をユーザに提供し、前記第１機能に係る連携を行う前記他の機器が存在しないと判断された場合には、前記埋込処理を行わず、前記他の機器と連携せずに前記第１機能をユーザに提供するように制御する、請求項１に記載の電子機器。
【請求項３】
前記第１機能は、聞き取りを含むユーザの語学学習を支援する機能であり、
前記出力手段は、前記ユーザが聞き取りを行う第１音声を出力し、
前記制御手段は、前記ユーザが聞き取りを行う第２音声を前記他の機器に出力させるための前記指示情報を音声透かしとして埋め込む前記埋込処理を行う、請求項１または２に記載の電子機器。
【請求項４】
前記第１機能は、前記他の機器が出力する音声、および前記電子機器が出力する音声、および前記ユーザが発声する音声による会話の学習を支援する機能であり、
前記他の機器および前記電子機器は、前記音声透かしとして埋め込まれた前記指示情報を認識するとともに、前記ユーザが発声する音声を認識する、請求項１乃至３のいずれか一項に記載の電子機器。
【請求項５】
複数の学習支援装置とユーザとの会話による学習を実現するための学習支援装置であって、
少なくとも音声を含む伝達情報を出力するように構成された出力手段と、
ユーザに向けた音声に他の学習支援装置に向けた指示情報を音声透かしで埋め込んだ音声を含む伝達情報を、前記出力手段に出力させる制御手段と
を備える学習支援装置。
【請求項６】
前記制御手段は、前記他の学習支援装置が出力すべき前記ユーザに向けた音声に関する情報を前記指示情報として作成する、請求項５に記載の学習支援装置。
【請求項７】
複数の学習支援装置とユーザとの会話による学習を実現するための学習支援装置であって、
少なくとも音声を含む伝達情報を出力するように構成された出力手段と、
他の学習支援装置からの出力された伝達情報を取得するように構成された取得手段と、
前記取得手段で捉えた他の学習支援装置から出力された伝達情報であって、ユーザに向けた音声に音声透かしで埋め込まれた指示情報を含む音声が含まれた伝達情報を解析して前記指示情報を抽出し、抽出された前記指示情報に基づいて、ユーザに向けた音声を含む伝達情報を前記出力手段に出力させる、制御手段と
を備える学習支援装置。
【請求項８】
複数の学習支援装置とユーザとの会話による学習を実現するための学習支援システムであって、
少なくとも音声を含む伝達情報を出力するように構成された第１の出力手段と、
ユーザに向けた音声に他の学習支援装置に向けた指示情報を音声透かしで埋め込んだ音声を含む伝達情報を、前記第１の出力手段に出力させる第１の制御手段と
を備える第１の学習支援装置と、
少なくとも音声を含む伝達情報を出力するように構成された第２の出力手段と、
前記第１の学習支援装置からの出力された伝達情報を取得するように構成された取得手段と、
前記取得手段で捉えた前記第１の学習支援装置から出力された伝達情報であって、ユーザに向けた音声に音声透かしで埋め込まれた指示情報を含む音声が含まれた伝達情報を解析して前記指示情報を抽出し、抽出された前記指示情報に基づいて、ユーザに向けた音声を含む伝達情報を前記第２の出力手段に出力させる、第２の制御手段と
を備える第２の学習支援装置と
を具備する学習支援システム。
【請求項９】
前記第１の学習支援装置は、前記第２の学習支援装置からの出力された伝達情報を取得するように構成された取得手段をさらに備え、
前記第１の制御手段は、当該取得手段で捉えた前記第２の学習支援装置から出力された伝達情報であって、ユーザに向けた音声に音声透かしで埋め込まれた指示情報を含む音声が含まれた伝達情報を解析して当該指示情報を抽出し、抽出された当該指示情報に基づいて、ユーザに向けた音声を含む伝達情報を前記第１の出力手段に出力させる、
請求項８に記載の学習支援システム。
【請求項１０】
前記第１の学習支援装置と前記第２の学習支援装置との各々は、自機を特定する情報を音声透かしで埋め込んだ音声を含む伝達情報を出力し、
前記第１の学習支援装置と前記第２の学習支援装置との各々は、前記伝達情報を解析して他機を特定する前記情報を抽出し、抽出された前記情報に基づいて、前記学習を自機から開始するか否かを判定する、
請求項９に記載の学習支援システム。
【請求項１１】
前記第２の学習支援装置は、前記第１の学習支援装置から出力された伝達情報に含まれる前記指示情報に基づいて前記音声を含む伝達情報を出力し、
前記第１の学習支援装置は、前記第２の学習支援装置から出力された伝達情報に含まれる前記指示情報に基づいて前記音声を含む伝達情報を出力する、
請求項９又は１０に記載の学習支援システム。
【請求項１２】
前記第１の学習支援装置は、前記第２の学習支援装置の動作を制御する、請求項８に記載の学習支援システム。
【請求項１３】
他の機器と連携してユーザに第１機能を提供する電子機器が、
前記第１機能に係る情報をユーザに向けた音声として出力する出力処理と、
前記第１機能に係る前記他の機器の連携を制御する場合に、前記出力処理により出力する前記ユーザに向けた音声に対して前記他の機器に向けた指示情報を音声透かしとして埋め込む埋込処理と、
を実行する電子機器の制御方法。
【請求項１４】
他の機器と連携してユーザに第１機能を提供する電子機器に、
前記第１機能に係る情報をユーザに向けた音声として出力する出力処理と、
前記第１機能に係る前記他の機器の連携を制御する場合に、前記出力処理により出力する前記ユーザに向けた音声に対して前記他の機器に向けた指示情報を音声透かしとして埋め込む埋込処理と、
を実行させる電子機器の制御プログラム。